(57)【要約】      （修正有）【課題】水分子の電解反応の効率を高める多数の電極素子を有する水素水生成電解ユニットを提供する。【解決手段】電解ユニット１０は、少なくとも３つの電極素子１１、１２、１３を備え、電極素子１１、１２、１３は、少なくとも一つの導電素子２１、２２、２３にそれぞれ電気的に接続される。電極素子１１、１２、１３の極性は、陽電気２つ、陰電気１つ、または陽電気１つ、陰電気２つとなるように、正負の極性で交互に並べて構成され、水素水生成機が、電解ユニット１０の電極素子１１、１２、１３によって水分子を電解して水素ガスと酸素ガスを生成する。電極素子１１、１２、１３は、シート状構造で、互いに接触しないように相互平行に配置され、かつ、水分子を電解して水素ガスと酸素ガスを生成する効率を高めるために、電極素子１１、１２、１３に透過部１４が少なくとも一つ設置される。【選択図】図１
0003203154.tif 000002
【実用新案登録請求の範囲】
【請求項１】
多数の電極素子を有する水素水生成機電解ユニットであって、
前記電解ユニットは、少なくとも一つの導電素子にそれぞれ電気的に接続されるとともに、正負の極性で交互に並べられた少なくとも３つの電極素子を含むことを特徴とする、
多数の電極素子を有する水素水生成機電解ユニット。
【請求項２】
前記電極素子はシート状構造であることを特徴とする請求項１記載の多数の電極素子を有する水素水生成機電解ユニット。
【請求項３】
前記電極素子は、相互平行に設置されていることを特徴とする請求項１または２に記載の多数の電極素子を有する水素水生成機電解ユニット。
【請求項４】
前記電極素子の極性は、陽電気２つ、陰電気１つ、または陽電気１つ、陰電気２つであることを特徴とする請求項１記載の多数の電極素子を有する水素水生成機電解ユニット。
【請求項５】
さらに、前記電極素子の周りにシース層が電気めっきされていることを特徴とする請求項１記載の多数の電極素子を有する水素水生成機電解ユニット。
【請求項６】
前記電極素子は、前記電極素子の表面積を増加するための透過部が少なくとも一つが設けられていることを特徴とする請求項１記載の多数の電極素子を有する水素水生成機電解ユニット。
【請求項７】
前記透過部は、前記電極素子からパンチプレスでパンチして形成されていることを特徴とする請求項６記載の多数の電極素子を有する水素水生成機電解ユニット。
【請求項８】
前記透過部は、前記電極素子から交互に織り込んで形成されていることを特徴とする請求項６記載の多数の電極素子を有する水素水生成機電解ユニット。
【請求項９】
前記電極素子は、さらに、前記電極素子のピッチを固定するための固定部材を少なくとも一つ備えることを特徴とする請求項１、２または６に記載の多数の電極素子を有する水素水生成機電解ユニット。
【請求項１０】
前記水素水生成機本体に設けられたロジックコントローラと切替ユニットとをさらに備え、前記切替ユニットが前記ロジックコントローラ及び前記導電ユニットにそれぞれ電気的に接続され、前記切替ユニットにより前記ロジックコントローラが伝送した制御信号に基づいて前記電極素子の極性を切り替えることを特徴とする請求項１記載の多数の電極素子を有する水素水生成機電解ユニット。
【請求項１１】
前記切替ユニットは双極双投リレーを備えるとともに、直流電源の正極及び負極に電気的に接続されていることを特徴とする請求項１０記載の多数の電極素子を有する水素水生成機電解ユニット。
【考案の詳細な説明】
【技術分野】
【０００１】
本考案は、水素水生成機に用いる電解ユニットに関し、特に、多数の電極素子を有し、水分子を電解反応して水素ガスと酸素ガスを生成させる水素水生成機電解ユニットに関する。
【背景技術】
【０００２】
近年、水素（Ｈｙｄｒｏｇｅｎ）は、医学や保健など多くの分野に効果的に運用可能であることが実証されており、その実証によれば、人が少量の水素を吸収すると、選択的な抗酸化作用が生じ、毒性のある自由基を中和することにより、例えば、糖尿病、器官の損傷、脳卒中、放射線治療による損傷、老人性認知症、卒中風、高血圧、癌などの様々な疾病を改善することができる。
【０００３】
さらに、生活水準向上のもとで、人々の飲用水に対する要求は、もう単純な渇きの癒しや清浄に留まらず、さらに機能性を持つ機能水が求められ、治療機能のある水素ガスを水に溶かして水素水（Ｈｙｄｒｏｇｅｎ  Ｗａｔｅｒ）を生成し人々に飲ませてきた。なお、水素水は、大量の水素を含有する水であるため、水素豊富水とも称される。
【０００４】
そのため、市販の水素水生成機は、水の電解反応によって水の中で水素ガスを発生させ、水素ガスを水に溶かして水素水を生成した後、飲ませて人体に吸収させたが、従来の水素水生成機は有する電極素子が少なく、水素ガスを発生する効率が不十分である。
【０００５】
よって、上記の従来技術には、なお欠点があり、よい設計にならないため、改良が望まれている。
【考案の概要】
【考案が解決しようとする課題】
【０００６】
本考案は、電極素子の数を増加することで、水分子の電解反応の効率を高める多数の電極素子を有する水素水生成機電解ユニットを提供することを主な目的とする。
【課題を解決するための手段】
【０００７】
上述目的に達するための本考案は、多数の電極素子を有する水素水生成機電解ユニットであって、前記電解ユニットは、少なくとも一つの導電素子にそれぞれ電気的に接続されるとともに、正負の極性で交互に並べられた少なくとも３つの電極素子を含むことを特徴とする。
【０００８】
前記のような多数の電極素子を有する水素水生成機電解ユニットにおいて、前記電極素子はシート状構造である。
【０００９】
前記のような多数の電極素子を有する水素水生成機電解ユニットにおいて、前記電極素子は、相互平行に設置されている。
【００１０】
前記のような多数の電極素子を有する水素水生成機電解ユニットにおいて、前記電極素子の極性は、陽電気２つ、陰電気１つ、または陽電気１つ、陰電気２つである。
【００１１】
前記のような多数の電極素子を有する水素水生成機電解ユニットにおいて、前記電極素子の周りにシース層が電気めっきされている。
【００１２】
前記のような多数の電極素子を有する水素水生成機電解ユニットにおいて、前記電極素子は、前記電極素子の表面積を増加するための透過部が少なくとも一つが設けられている。
【００１３】
前記のような多数の電極素子を有する水素水生成機電解ユニットにおいて、前記透過部は、前記電極素子からパンチプレスでパンチして形成されている。
【００１４】
前記のような多数の電極素子を有する水素水生成機電解ユニットにおいて、前記透過部は、前記電極素子から交互に織り込んで形成されている。
【００１５】
前記のような多数の電極素子を有する水素水生成機電解ユニットにおいて、前記電極素子は、さらに、前記電極素子のピッチを固定するための固定部材を少なくとも一つ備える。
【００１６】
前記のような多数の電極素子を有する水素水生成機電解ユニットにおいて、水素水生成機本体に設けられたロジックコントローラと切替ユニットとをさらに備え、前記切替ユニットが前記ロジックコントローラ及び前記導電ユニットにそれぞれ電気的に接続され、前記切替ユニットにより前記ロジックコントローラが伝送した制御信号に基づいて前記電極素子の極性を切り替える。
【００１７】
前記のような多数の電極素子を有する水素水生成機電解ユニットにおいて、前記切替ユニットは双極双投リレーを備えるとともに、直流電源の正極及び負極に電気的に接続されている。
【００１８】
以上のように、本考案は、空間形態上で確かに革新に属するだけでなく、従来よりも前記の複数の効果が向上され、新規性及び進歩性といった法に定めた実用新案登録の要件が十分に満たされているので、法律に基づき出願する。本願実用新案の出願を審査の上、許可されたい。
【図面の簡単な説明】
【００１９】
【図１】本考案に係る多数の電極素子を有する水素水生成機電解ユニットの斜視図である。
【図２】本考案に係る多数の電極素子を有する水素水生成機電解ユニットの側面図である。
【図３】本考案に係る多数の電極素子を有する水素水生成機電解ユニットの実施例の図である。
【図４Ａ】本考案に係る多数の電極素子を有する水素水生成機電解ユニットの回路図及び作動図である。
【図４Ｂ】本考案に係る多数の電極素子を有する水素水生成機電解ユニットの回路図及び作動図である。
【考案を実施するための形態】
【００２０】
図１及び図２は、本考案に係る多数の電極素子を有する水素水生成機電解ユニットの斜視図及び側面図である。
電解ユニット１０は、少なくとも３つの電極素子１１、１２、１３を備え、電極素子１１、１２、１３は、少なくとも一つの導電素子２１、２２、２３にそれぞれ電気的に接続される。電極素子１１、１２、１３の極性は、陽電気２つ、陰電気１つ、または陽電気１つ、陰電気２つとなるように、正負の極性で交互に並べて構成され（例えば、＋−＋、−＋−）、水素水生成機が、電解ユニット１０の電極素子１１、１２、１３によって水分子を電解して水素ガスと酸素ガスを生成する。
【００２１】
電極素子１１、１２、１３は、シート状構造で、互いに接触しないように相互平行に配置され、かつ、水分子を電解して水素ガスと酸素ガスを生成する効率を高めるために、電極素子１１、１２、１３に透過部１４が少なくとも一つ設置され、電極素子１１、１２、１３の表面積を増加し、より多い水分子を電極素子１１、１２、１３に接触し解離させて水素ガスと酸素ガスを形成するようになっている。
透過部１４は、電極素子１１、１２、１３からパンチプレスでパンチして形成されるか、電極素子１１、１２、１３から交互に織り込んで形成されている。また、電極素子１１、１２、１３が互いに接触されることを避けるため、電極素子１１、１２、１３の間に少なくとも一つの固定部材３０がさらに設けられ、固定部材３０が透過部１４に挿通して電極素子１１、１２、１３を締め付け、電極素子１１、１２、１３のピッチを固定することができる。
【００２２】
電極素子１１、１２、１３は、同じ金属材料で作製され、或いは正負極性の違いに従ってそれぞれ異なる金属材料で作製され、金属材料は、チタン、アルミニウム、鉄、銅、ステンレスから選択してよい。これだけでなく、電極素子１１、１２、１３の周りにシース層（図示せず）が電気めっきされ、シース層は、ＰｔまたはＡｕから構成されている。シース層がＰｔで構成された場合、電極素子１１、１２、１３への侵食または錆びを防止する能力が向上され、シース層がＡｕで構成された場合、さらに、電極素子１１、１２、１３の水分子の電解効率を高めることができる。
【００２３】
次に、図３は、本考案の実施例である。
本考案の多数の電極素子を有する水素水生成機電解ユニットを電極ケース４０内に設け、電極ケース４０は電線を介して水素水生成機本体５０に接続される。そしてこの電極ケース４０を水の入った浴槽６０中に置き、浴槽８０の中の水を電極ケース４０内に進入させ、電解ユニット１０の電極素子１１、１２、１３に接触させると、電解して水素ガスと酸素ガスを生成し、ユーザが入浴と同時に、大量の水素ガスと酸素ガスを吸収することもできるように構成されている。
さらに、本考案の多数の電極素子を有する水素水生成機電解ユニットを水素水生成機本体５０の内部に直接設け、電極素子１１、１２、１３により、水素水生成機本体５０内に入れた水を電解し、さらに遮断層により発生された酸素または水素を遮断すれば、それぞれ水素の豊富な水素水、または酸素の豊富な酸素水が形成され、ユーザに飲み水として供給し、水素ガスまたは酸素ガスを吸収する効果に達する。
【００２４】
最後に、図４Ａおよび図４Ｂは、本考案に係る多数の電極素子を有する水素水生成機電解ユニットの回路図及び作動図である。
さらに、水素水生成機本体５０にロジックコントローラ５１と切替ユニット５２とが設けられ、切替ユニット５２がロジックコントローラ５１及び導電ユニット２１、２２、２３に電気的に接続される。切替ユニット５２は双極双投リレーを備えるとともに、直流電源５３の正極及び負極に電気的に接続され、切替ユニット５２によりロジックコントローラ５１が伝送した制御信号に基づいて電極素子１１、１２、１３の極性を切り替えて、電極素子１１、１３の極性が負の時、電極素子１２の極性が正となる一方、電極素子１１、１３の極性が正の時、電極素子１２の極性は負であり、ユーザは必要に応じて手動または自動で切り替えることができる。なお、電極素子１１、１２、１３の極性を変えることで、電解反応で電極素子１１、１２、１３に付着された沈殿物を取り除き、電極素子１１、１２、１３を清浄する効果に達する。
【００２５】
以上のように、本考案は、多数の電極素子を有する水素水生成機電解ユニットを確実に提供し、電極素子の数を増加することで、水分子の電解反応の効率を高め、ユーザに短時間で大量の水素と酸素を吸収可能であり、さらに、ユーザに水素の豊富な水素水または酸素の豊富な酸素水を飲ませることができる。
【００２６】
以上の説明は、本考案の好ましい実施例にすぎず、本考案の請求範囲を限定するものではなく、いずれの本考案の明細書及び図面内容を運用して実施した等価な構造変形も、本考案の範囲内に含まれるものであることは言うまでもない。
【符号の説明】
【００２７】
１０  電解ユニット
１１、１２、１３  電極素子
１４  透過部
２１、２２、２３  導電素子
３０  固定部材
４０  電極ケース
５０  水素水生成機本体
５１  ロジックコントローラ
５２  切替ユニット
５３  直流電源
６０  浴槽
【図１】
0003203154.tif 000003
【図２】
0003203154.tif 000004
【図３】
0003203154.tif 000005
【図４Ａ】
0003203154.tif 000006
【図４Ｂ】
0003203154.tif 000007
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
多数の電極素子を有する水素水生成機電解ユニットであって、
前記電解ユニットは、少なくとも一つの導電素子にそれぞれ電気的に接続されるとともに、正負の極性で交互に並べられた少なくとも３つの電極素子を含むことを特徴とする、
多数の電極素子を有する水素水生成機電解ユニット。
【請求項２】
前記電極素子はシート状構造であることを特徴とする請求項１記載の多数の電極素子を有する水素水生成機電解ユニット。
【請求項３】
前記電極素子は、相互平行に設置されていることを特徴とする請求項１または２に記載の多数の電極素子を有する水素水生成機電解ユニット。
【請求項４】
前記電極素子の極性は、陽電気２つ、陰電気１つ、または陽電気１つ、陰電気２つであることを特徴とする請求項１記載の多数の電極素子を有する水素水生成機電解ユニット。
【請求項５】
さらに、前記電極素子の周りにシース層が電気めっきされていることを特徴とする請求項１記載の多数の電極素子を有する水素水生成機電解ユニット。
【請求項６】
前記電極素子は、前記電極素子の表面積を増加するための透過部が少なくとも一つが設けられていることを特徴とする請求項１記載の多数の電極素子を有する水素水生成機電解ユニット。
【請求項７】
前記透過部は、前記電極素子からパンチプレスでパンチして形成されていることを特徴とする請求項６記載の多数の電極素子を有する水素水生成機電解ユニット。
【請求項８】
前記透過部は、前記電極素子から交互に織り込んで形成されていることを特徴とする請求項６記載の多数の電極素子を有する水素水生成機電解ユニット。
【請求項９】
前記電極素子は、さらに、前記電極素子のピッチを固定するための固定部材を少なくとも一つ備えることを特徴とする請求項１、２または６に記載の多数の電極素子を有する水素水生成機電解ユニット。
【請求項１０】
ロジックコントローラと切替ユニットとをさらに備え、前記切替ユニットが前記ロジックコントローラ及び前記導電素子にそれぞれ電気的に接続され、前記切替ユニットにより前記ロジックコントローラが伝送した制御信号に基づいて前記電極素子の極性を切り替えることを特徴とする請求項１記載の多数の電極素子を有する水素水生成機電解ユニット。
【請求項１１】
前記切替ユニットは双極双投リレーを備えるとともに、直流電源の正極及び負極に電気的に接続されていることを特徴とする請求項１０記載の多数の電極素子を有する水素水生成機電解ユニット。
【手続補正２】
【補正対象書類名】明細書
【補正対象項目名】００２４
【補正方法】変更
【補正の内容】
【００２４】
最後に、図４Ａおよび図４Ｂは、本考案に係る多数の電極素子を有する水素水生成機電解ユニットの回路図及び作動図である。
さらに、水素水生成機本体５０にロジックコントローラ５１と切替ユニット５２とが設けられ、切替ユニット５２がロジックコントローラ５１及び導電素子２１、２２、２３に電気的に接続される。切替ユニット５２は双極双投リレーを備えるとともに、直流電源５３の正極及び負極に電気的に接続され、切替ユニット５２によりロジックコントローラ５１が伝送した制御信号に基づいて電極素子１１、１２、１３の極性を切り替えて、電極素子１１、１３の極性が負の時、電極素子１２の極性が正となる一方、電極素子１１、１３の極性が正の時、電極素子１２の極性は負であり、ユーザは必要に応じて手動または自動で切り替えることができる。なお、電極素子１１、１２、１３の極性を変えることで、電解反応で電極素子１１、１２、１３に付着された沈殿物を取り除き、電極素子１１、１２、１３を清浄する効果に達する。